【手続補正書】
【提出日】令和1年8月16日(2019.8.16)
【手続補正１】
【補正対象書類名】特許請求の範囲
【補正対象項目名】全文
【補正方法】変更
【補正の内容】
【特許請求の範囲】
【請求項１】
カプセルを製造するための方法であって、
界面活性剤、コア物質及び水を含むエマルジョンを調製する工程；
エマルジョンへ架橋剤を添加し、選択された粒径となるようエマルジョン中に架橋剤を均質化して、全体的に均質化されたエマルジョンを形成する工程であって、
前記架橋剤は、
(a)環状尿素(U)と多官能アルデヒド(A)の反応生成物、ならびに
(b)以下：
(b1)アミノトリアジンと、脂肪族モノアルデヒド、及び構造Y(CHO)n（Yはn-官能性脂肪族基であり、nは１より大きく、架橋剤(b)が(b1)である場合、Uはジヒドロキシエチレン尿素ではない）を有する多官能脂肪族アルデヒドからなる群より選択される少なくとも1つのアルデヒドとの反応生成物、
(b2)尿素及び/または環状尿素とホルムアルデヒドとの反応生成物、
(b3)アルコキシカルボニルアミノトリアジン、
(b4)場合により部分的にまたは完全にブロックされてよい多官能性イソシアネート、
(b5)フェノールと脂肪族モノアルデヒドとの反応生成物、
(b6)多官能エポキシド、
(b7)多官能アジリジン、ならびに
(b8)多官能カルボジイミド
からなる群より選択される少なくとも1つの架橋剤
を含み、
ヒドロキシル基を有する架橋剤(a)及び(b)のいずれかは、1つまたは複数の直鎖、分枝または環状脂肪族アルコールで場合によりエステル化される、工程；
メラミンホルムアルデヒドプレポリマーを、混合しながら均質化エマルジョンに添加し、その後メラミンホルムアルデヒドプレポリマーを重合する工程
を含む方法。
【請求項２】
エマルジョンを調製する工程が、界面活性剤及び水を含む水性相を調製すること、相変化物質を含むコア物質を溶解すること、ならびに、コア物質の溶解に続いて、混合及び加熱しながらコア物質を水性相に添加することを含む、請求項１に記載の方法。
【請求項３】
メラミンホルムアルデヒドプレポリマーを添加する工程が、メラミンホルムアルデヒドプレポリマーの第一の添加とそれに続くメラミンホルムアルデヒドプレポリマーの第二の添加を含む、請求項１に記載の方法。
【請求項４】
メラミンホルムアルデヒドプレポリマーが、架橋剤に対して1:1から4:1の重量パーセント比で存在し、得られるカプセルは100ppm未満の最初の遊離ホルムアルデヒドを有する、請求項１に記載の方法。
【請求項５】
メラミンホルムアルデヒドプレポリマーが、架橋剤に対して1.5:1から3.75:1の重量パーセント比で存在し、得られるカプセルは20ppm未満の最初の遊離ホルムアルデヒドを有する、請求項１に記載の方法。
【請求項６】
(b)が、(b1)、(b2)、(b3)及び(b5)からなる群より選択される少なくとも1つの架橋剤である、請求項１に記載の方法。
【請求項７】
得られるカプセルが、図４に規定されるFT-IRスペクトルを有する、請求項１に記載の方法。
【請求項８】
得られるカプセルが、約10μmから約10000μmの平均粒径を有するマイクロカプセルである、請求項７に記載の方法。
【請求項９】
メラミンホルムアルデヒドプレポリマーが、架橋剤に対して1.5:1の重量パーセント比で存在し、得られるカプセルは10ppm未満の最初の遊離ホルムアルデヒドを有する、請求項１に記載の方法。
【請求項１０】
カプセルを製造するための方法であって、
界面活性剤、コア物質及び水を含むエマルジョンを調製する工程；
架橋剤を含むメラミンホルムアルデヒドプレポリマーを調製する工程であって、
前記架橋剤は、
(a)環状尿素(U)と多官能アルデヒド(A)の反応生成物、ならびに
(b)以下：
(b1)アミノトリアジンと、脂肪族モノアルデヒド、及び構造Y(CHO)n（Yはn-官能性脂肪族基であり、nは１より大きく、架橋剤(b)が(b1)である場合、Uはジヒドロキシエチレン尿素ではない）を有する多官能脂肪族アルデヒドからなる群より選択される少なくとも1つのアルデヒドとの反応生成物、
(b2)尿素及び/または環状尿素とホルムアルデヒドとの反応生成物、
(b3)アルコキシカルボニルアミノトリアジン、
(b4)部分的にまたは完全にブロックされてよい多官能性イソシアネート、
(b5)フェノールと脂肪族モノアルデヒドとの反応生成物、
(b6)多官能エポキシド、
(b7)多官能アジリジン、ならびに
(b8)多官能カルボジイミド
からなる群から選択される少なくとも1つの架橋剤
を含む、工程、
メラミンホルムアルデヒドプレポリマーを混合しながらエマルジョンに添加し、その後メラミンホルムアルデヒドプレポリマーを重合する工程
を含む、方法。
【請求項１１】
メラミンホルムアルデヒドプレポリマーを添加する工程が、メラミンホルムアルデヒドプレポリマーの第一の添加とそれに続くメラミンホルムアルデヒドプレポリマーの第二の添加を含み、第一の添加物、第二の添加物、またはその両方が架橋剤を含む、請求項１０に記載の方法。
【請求項１２】
メラミンホルムアルデヒドプレポリマーが、架橋剤に対して1:1から4:1の重量パーセント比で存在する、請求項１０に記載の方法。
【請求項１３】
(b)が、(b1)、(b2)、(b3)及び(b5)からなる群より選択される少なくとも1つの架橋剤である、請求項１０に記載の方法。
【請求項１４】
第一の添加物と第二の添加物の両方が架橋剤を含み、メラミンホルムアルデヒドプレポリマーが、架橋剤に対して1.5:1から3.75:1の重量パーセント比で存在し、得られるカプセルが60ppm未満の最初の遊離ホルムアルデヒドを有する、請求項１１に記載の方法。
【請求項１５】
第一の添加物と第二の添加物の両方が架橋剤を含み、メラミンホルムアルデヒドプレポリマーが、架橋剤に対して1:1から1.5:1の重量パーセント比で存在し、得られるカプセルは40ppm未満の最初の遊離ホルムアルデヒドを有する、請求項１１に記載の方法。
【請求項１６】
第一の添加物が架橋剤を含み、メラミンホルムアルデヒドプレポリマーが、架橋剤に対して1:1から4:1の重量パーセント比で存在し、得られるカプセルが45ppm未満の最初の遊離ホルムアルデヒドを有する、請求項１１に記載の方法。
【請求項１７】
第二の添加物が架橋剤を含み、メラミンホルムアルデヒドプレポリマーが、架橋剤に対して1:1から4:1の重量パーセント比で存在し、得られるカプセルが75ppm未満の最初の遊離ホルムアルデヒドを有する、請求項１１に記載の方法。
【請求項１８】
第二の添加物が架橋剤を含み、メラミンホルムアルデヒドプレポリマーが、架橋剤に対して1:1から1.5:1の重量パーセント比で存在し、得られるカプセルが40ppm未満の最初の遊離ホルムアルデヒドを有する、請求項１１に記載の方法。
【請求項１９】
請求項１に記載の方法により製造されるカプセル。
【請求項２０】
請求項１０に記載の方法により製造されるカプセル。
【請求項２１】
架橋剤と反応して、以下の式
【化１】
2018523749.tif 000001
［式中、RはH又はCH3である］
によるユニットセルを形成する、メラミンホルムアルデヒドを含むポリマーウォールを有するカプセル。
【請求項２２】
前記架橋剤は、
(a)環状尿素(U)と多官能アルデヒド(A)の反応生成物、ならびに
(b)以下：
(b1)アミノトリアジンと、脂肪族モノアルデヒド、及び構造Y(CHO)n（Yはn-官能性脂肪族基であり、nは１より大きく、架橋剤(b)が(b1)である場合、Uはジヒドロキシエチレン尿素ではない）を有する多官能脂肪族アルデヒドからなる群より選択される少なくとも1つのアルデヒドとの反応生成物、
(b2)尿素及び/または環状尿素とホルムアルデヒドとの反応生成物、
(b3)アルコキシカルボニルアミノトリアジン、
(b4)場合により部分的にまたは完全にブロックされてよい多官能性イソシアネート、
(b5)フェノールと脂肪族モノアルデヒドとの反応生成物、
(b6)多官能エポキシド、
(b7)多官能アジリジン、ならびに
(b8)多官能カルボジイミド
からなる群より選択される少なくとも1つの架橋剤
を含み、
ヒドロキシル基を有する架橋剤(a)及び(b)のいずれかは、1つまたは複数の直鎖、分枝または環状脂肪族アルコールで場合によりエステル化される、請求項２１に記載のカプセル。
【請求項２３】
ポリマーウォールが約0.2μmから約0.6μmの厚さを有する、請求項２１に記載のカプセル。
【請求項２４】
ポリマーウォールが60ppm未満の最初の遊離ホルムアルデヒドを有する、請求項２１に記載のカプセル。
【請求項２５】
ポリマーウォールが40ppm未満の最初の遊離ホルムアルデヒドを有する、請求項２１に記載のカプセル。
【請求項２６】
ポリマーウォールが20ppm未満の最初の遊離ホルムアルデヒドを有する、請求項２１に記載のカプセル。
【請求項２７】
ポリマーウォールが10ppm未満の最初の遊離ホルムアルデヒドを有する、請求項２１に記載のカプセル。
【請求項２８】
ポリマーウォールが、形成4週間後までの間、20ppm未満の遊離ホルムアルデヒドを有する、請求項２７に記載のカプセル。
【請求項２９】
ポリマーウォールが、形成4週間後までの間、40ppm未満の遊離ホルムアルデヒドを有する、請求項２７に記載のカプセル。
【請求項３０】
ポリマーウォールが、第1日から第4週に40ppm未満の遊離ホルムアルデヒドを有する、請求項２１に記載のカプセル。
【請求項３１】
ポリマーウォールが、第1日から第4週に20ppm未満の遊離ホルムアルデヒドを有する、請求項２１に記載のカプセル。
【請求項３２】
マイクロカプセルまたはマクロカプセルである、請求項２１に記載のカプセル。
【請求項３３】
架橋剤と反応したメラミンホルムアルデヒドを含むポリマーウォールを含むカプセルであって、ポリマーウォールが図４のFT-IRスペクトルを有する、カプセル。
【請求項３４】
マイクロカプセルまたはマクロカプセルである、請求項３３に記載のカプセル。
【請求項３５】
ポリマーウォールが60ppm未満の最初の遊離ホルムアルデヒドを有する、請求項３３に記載のカプセル。
【請求項３６】
ポリマーウォールが40ppm未満の最初の遊離ホルムアルデヒドを有する、請求項３３に記載のカプセル。
【請求項３７】
ポリマーウォールが20ppm未満の最初の遊離ホルムアルデヒドを有する、請求項３３に記載のカプセル。
【請求項３８】
ポリマーウォールが、10ppm未満の最初の遊離ホルムアルデヒドを有し、形成4週間後までの間、20ppm未満の遊離ホルムアルデヒドを有する、請求項３３に記載のカプセル。
【請求項３９】
ポリマーウォールが、10ppm未満の最初の遊離ホルムアルデヒドを有し、形成4週間後までの間、40ppm未満の遊離ホルムアルデヒドを有する、請求項３３に記載のカプセル。
【請求項４０】
ポリマーウォールが、第1日から第4週に40ppm未満の遊離ホルムアルデヒドを有する、請求項３３に記載のカプセル。
【請求項４１】
ポリマーウォールが、第1日から第4週に20ppm未満の遊離ホルムアルデヒドを有する、請求項３３に記載のカプセル。
【請求項４２】
架橋剤と反応したメラミンホルムアルデヒドを含むポリマーウォールを有するカプセルであって、
前記架橋剤は、
(a)環状尿素(U)と多官能アルデヒド(A)の反応生成物、ならびに
(b)以下：
(b1)アミノトリアジンと、脂肪族モノアルデヒド、及び構造Y(CHO)n（Yはn-官能性脂肪族基であり、nは１より大きく、架橋剤(b)が(b1)である場合、Uはジヒドロキシエチレン尿素ではない）を有する多官能脂肪族アルデヒドからなる群より選択される少なくとも1つのアルデヒドとの反応生成物、
(b2)尿素及び/または環状尿素とホルムアルデヒドとの反応生成物、
(b3)アルコキシカルボニルアミノトリアジン、
(b4)場合により部分的にまたは完全にブロックされてよい多官能性イソシアネート、
(b5)フェノールと脂肪族モノアルデヒドとの反応生成物、
(b6)多官能エポキシド、
(b7)多官能アジリジン、ならびに
(b8)多官能カルボジイミド
からなる群より選択される少なくとも1つの架橋剤
を含み、
ヒドロキシル基を有する架橋剤(a)及び(b)のいずれかは、1つまたは複数の直鎖、分枝または環状脂肪族アルコールで場合によりエステル化される、カプセル。
【請求項４３】
ポリマーウォールが約0.2μmから約0.6μmの厚さを有する、請求項４２に記載のカプセル。
【請求項４４】
ポリマーウォールが、第1日から第4週に40ppm未満の遊離ホルムアルデヒドを有する、請求項４２に記載のカプセル。
【請求項４５】
ポリマーウォールが、第1日から第4週に20ppm未満の遊離ホルムアルデヒドを有する、請求項４２に記載のカプセル。
【請求項４６】
マイクロカプセルまたはマクロカプセルである、請求項４２に記載のカプセル。
【請求項４７】
ポリマーウォールが、10ppm未満の最初の遊離ホルムアルデヒドを有し、形成4週間後までの間、20ppm未満の遊離ホルムアルデヒドを有する、請求項４２に記載のカプセル。
【請求項４８】
ポリマーウォールが、10ppm未満の最初の遊離ホルムアルデヒドを有し、形成4週間後までの間、40ppm未満の遊離ホルムアルデヒドを有する、請求項４２に記載のカプセル。